(57)【要約】【課題】  本発明は浴室の壁から伝わる水や、蓋の開放時の蓋に溜まっている水が、浴槽内に浸入するのを効率よく阻止して、浴槽内のお湯が汚れたり、冷めたりするのを防止することができる浴槽を得るにある。【解決手段】  少なくとも一側面が壁面と当接するように設置される長方形状の浴槽本体と、この浴槽本体の上面に一側面側よりも他側面の洗い場方向が低くなるように傾斜状に形成された排水溝とで浴槽を構成している。【選択図】  図１
2005245780.tif 000002
【特許請求の範囲】
【請求項１】
少なくとも一側面が壁面と当接するように設置される長方形状の浴槽本体と、この浴槽本体の上面に一側面側よりも他側面の洗い場方向が低くなるように傾斜状に形成された排水溝とからなることを特徴とする浴槽。
【請求項２】
少なくとも一側面が壁面と当接するように設置される長方形状で、一側面側よりも他側面の洗い場方向の上面が低くなるように形成された浴槽本体と、この浴槽本体の上面に一側面側より他側面側に水を排水することができる排水溝とからなることを特徴とする浴槽。
【請求項３】
少なくとも一側面が壁面と当接するように設置される長方形状で、一側面側よりも他側面の洗い場方向の上面が低くなるように形成された浴槽本体と、この浴槽本体の外周部を除く上面に、一側面側よりも他側面側に水を排水することができるリング状の水切り用突起とからなることを特徴とする浴槽。
【発明の詳細な説明】
【技術分野】
【０００１】
本発明はシャワー装置が設けられた浴室に設置される浴槽に関する。
【背景技術】
【０００２】
従来の浴槽は上縁が平坦となるように形成された浴槽を、少なくとも一側面が壁面と当接するように設置され、開口部を閉じる複数枚の板状の蓋をかぶせて湯冷めを防止している。
【０００３】
しかしながら、親子等の生活習慣の変化により、親は浴槽に浸かった入浴を行なうが、子供はシャワーだけで済ませる状態が生じている。
このため、シャワーだけの入浴時には浴槽の開口部は蓋で閉じられているが、シャワーの水が壁を伝わって浴槽内に浸入したり、蓋の上に溜まる洗浄水等も、
蓋の開放時に浴槽内へ浸入して、浴槽内のお湯を汚してしまうという欠点があった。
【特許文献１】特になし。
【発明の開示】
【発明が解決しようとする課題】
【０００４】
本発明は以上のような従来の欠点に鑑み、浴室の壁から伝わる水や、蓋の開放時の蓋に溜まっている水が、浴槽内に浸入するのを効率よく阻止して、浴槽内のお湯が汚れたり、冷めたりするのを防止することができる浴槽を提供することを目的としている。      
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は少なくとも一側面が壁面と当接するように設置される長方形状の浴槽本体と、この浴槽本体の上面に一側面側よりも他側面の洗い場方向が低くなるように傾斜状に形成された排水溝とで浴槽を構成している。
【発明の効果】
【０００７】
以上の説明から明らかなように、本発明にあっては次に列挙する効果が得られる。
【０００８】
（１）浴槽本体の上面に壁面と当接している一側面側よりも他側面の洗い場方向が低くなるように傾斜状に排水溝を形成しているので、壁面から落下する水や、蓋の開放時の、蓋の外周部から流れる水を排水溝より洗い場へ排水することができる。
したがって、浴槽本体内へシャワーでの洗浄水が浸入するのを効率よく阻止でき、浴槽本体内のお湯を汚したり、冷ましたりするのを防止できる。
【０００９】
（２）前記（１）によって、浴槽本体の上面に排水溝を形成するだけでよいので、容易に実施することができる。
【００１０】
（３）前記（１）によって、浴槽本体の上面に排水溝を形成するため、従来と同様な蓋を使用しても、同様な作用効果が得られる。
【００１１】
（４）請求項２、３も前記（１）〜（３）と同様な効果が得られるとともに、蓋に落下するシャワー水も効率よく洗い場方向に排水することができる。
【発明を実施するための最良の形態】
【００１２】
以下、図面に示す本発明を実施するための最良の形態より、本発明を詳細に説明する。
【００１３】
図１ないし図４に示す本発明を実施するための最良の第１の形態において、１は浴室２の三方の壁面３、３ａ、３ｂに三方の側面が当接するように設置された本発明の浴槽で、この浴槽１は長方形状の浴槽本体４と、この浴槽本体４の上面に壁面３と当接している一側面４ａよりも他側面４ｂの洗い場５方向が低くなるように傾斜状に形成されたコ字状、あるいは逆台形状の凹部状の排水溝６と、前記浴槽本体４の開口部４ｃを覆う複数枚の蓋板７とからなる蓋７Ａとで構成されている。
８は前記洗い場５に位置する壁面に取付けられたシャワー装置である。
前記排水溝６は一側面４ａ側の中央部より両端部が低くなり、該両端部より洗い場５方向が順次低くなるような傾斜に形成されている。
【００１４】
上記構成の浴槽１は入浴できるように浴槽本体４内にお湯９が入り、蓋７Ａがされた状態でシャワー装置８を使用した場合、シャワー水や洗浄水が浴室２の壁３、３ａ、３ｂに当り、浴槽本体４の上縁部へ落下し、排水溝６より洗い場５へ落下させることができる。
また、蓋７Ａの蓋板７上に位置するシャワー水等は、洗い場５方向より上方へ持ち上げることにより、一側面４ａと当接する壁面３へ流れ、該部より排水溝６へ流れ込んで洗い場５方向へ排水される。
[発明を実施するための異なる形態]
【００１５】
次に、図５ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図５ないし図７に示す本発明を実施するための第２の形態において、前記本発明を実施するための最良の第１の形態と主に異なる点は、壁面３に当接される一側面４ａ側よりも他側面４ｂの洗い場５方向の上面が低くなる浴槽本体４Ａと、この浴槽本体４Ａの上面にほぼ同じ深さの排水溝６Ａを形成した点で、このように構成した浴槽１Ａにしても、前記本発明を実施するための最良の第１の形態と同様な作用効果が得られるとともに、蓋７Ａ上に落下するシャワー水や洗浄水は洗い場５方向が下部に位置するため、自動的に洗い場５へ落下させることができる。
【００１７】
図８ないし図１０に示す本発明を実施するための第３の形態において、前記本発明を実施するための第２の形態と主に異なる点は、浴槽本体４Ａの上面の外周部を除く部位にリング状の水切り用突起１０を形成した点で、このように構成した浴槽１Ｂにしても、前記本発明を実施するための第２の形態と同様な同様な作用効果が得られる。
【００１８】
図１１ないし図１３に示す本発明を実施するための第４の形態において、前記本発明を実施するための最良の第１の形態と主に異なる点は、浴槽本体４の上面に排水溝６が形成された上縁部材としての排水樋１１を接着剤等で固定状態で取付けた点で、このように構成した浴槽１Ｃにしても、前記本発明を実施するための最良の第１の形態と同様な作用効果が得られるとともに、既存の浴槽にも容易に本発明を施すことができる。
【００１９】
図１４ないし図１６に示す本発明を実施するための第５の形態において、前記本発明を実施するための最良の第１の形態と主に異なる点は、浴室２の二面の壁面３、３ａに当接されて設置される浴槽本体４と、この浴槽本体４の壁面３、３ａと当接している部位の上面にＬ字状の排水溝６Ｂを形成した点で、このように構成した浴槽１Ｄにしても、前記本発明を実施するための最良の第１の形態と同様な作用効果が得られる。
【００２０】
なお、本発明を実施するための各形態では浴槽本体の上面に直接排水溝６、６Ａ、６Ｂを形成したものについて説明したが、本発明はこれに限らず、上部に別体に形成した排水溝６、６Ａ、６Ｂを有する上縁部材を固定した浴槽本体を用いても同様な作用効果がえられる。
【産業上の利用可能性】
【００２１】
本発明は浴槽を製造する産業、あるいは浴槽を設置する産業で利用される。
【図面の簡単な説明】
【００２２】
【図１】本発明を実施するための最良の第１の形態の平面図。
【図２】図１の２−２線に沿う断面図。
【図３】図１の３−３線に沿う断面図。
【図４】本発明を実施するための最良の第１の形態の水が流れる状態の説明図。
【図５】本発明を実施するための第２の形態の平面図。
【図６】図５の６−６線に沿う断面図。
【図７】図５の７−７線に沿う断面図。
【図８】本発明を実施するための第３の形態の平面図。
【図９】図８の９−９線に沿う断面図。
【図１０】図８の１０−１０線に沿う断面図。
【図１１】本発明を実施するための第４の形態の平面図。
【図１２】図１１の１２−１２線に沿う断面図。
【図１３】図１１の１３−１３線に沿う断面図。
【図１４】本発明を実施するための第５の形態の平面図。
【図１５】図１４の１５−１５線に沿う断面図。
【図１６】図１４の１６−１６線に沿う断面図。
【符号の説明】
【００２３】
１、１Ａ、１Ｂ、１Ｃ、１Ｄ：浴槽、
２：浴室、                    ３、３ａ、３ｂ：壁面、
４、４Ａ：浴槽本体、          ５：洗い場、
６、６Ａ、６Ｂ：排水溝、      ７：蓋板、
７Ａ：蓋、                    ８：シャワー装置、
９：お湯、                    １０：水切り用突起、
１１：排水樋。
【図１】
2005245780.tif 000003
【図２】
2005245780.tif 000004
【図３】
2005245780.tif 000005
【図４】
2005245780.tif 000006
【図５】
2005245780.tif 000007
【図６】
2005245780.tif 000008
【図７】
2005245780.tif 000009
【図８】
2005245780.tif 000010
【図９】
2005245780.tif 000011
【図１０】
2005245780.tif 000012
【図１１】
2005245780.tif 000013
【図１２】
2005245780.tif 000014
【図１３】
2005245780.tif 000015
【図１４】
2005245780.tif 000016
【図１５】
2005245780.tif 000017
【図１６】
2005245780.tif 000018